(57)【特許請求の範囲】
【請求項１】
第１の表示領域に第１のスケジュール情報をカレンダー表示させるとともに第２の表示領域に前記第１のスケジュール情報とは異なる第２のスケジュール情報をカレンダー表示させる第１表示制御手段と、
前記第１表示制御手段により前記第１のスケジュール情報が前記第１の表示領域にカレンダー表示されているとともに前記第２の表示領域に前記第２のスケジュール情報がカレンダー表示されているときに前記第１の表示領域と前記第２の表示領域とのうち何れか一方の表示領域における所定の日付枠が操作された場合に、当該日付枠に対応するスケジュールの詳細情報を前記第１の表示領域と前記第２の表示領域とのうち前記日付枠が操作された方の表示領域に表示させるとともに他方の表示領域に当該他方の表示領域における所定の日付枠に対応するスケジュールの詳細情報を表示させる第２表示制御手段と、
を備え、
前記第１表示制御手段は、所定の表示領域に所定のスケジュール情報が表示されているときに分割指示操作がなされた場合に、前記所定の表示領域を前記第１の表示領域と前記第２の表示領域とに分割させることを特徴とする表示制御装置。
【請求項２】
第１の表示領域に第１のスケジュール情報を時間帯枠で区分表示させるとともに第２の表示領域に前記第１のスケジュール情報とは異なる第２のスケジュール情報を時間帯枠で区分表示させる第１表示制御手段と、
前記第１表示制御手段により前記第１のスケジュール情報が前記第１の表示領域に時間帯枠で区分表示されているとともに前記第２の表示領域に前記第２のスケジュール情報が時間帯枠で区分表示されているときに前記第１の表示領域と前記第２の表示領域とのうち何れか一方の表示領域における所定の時間帯枠が操作された場合に、当該時間帯枠に対応するスケジュールの詳細情報を前記第１の表示領域と前記第２の表示領域とのうち前記時間帯枠が操作された方の表示領域に表示させるとともに他方の表示領域に当該他方の表示領域における所定の時間帯枠に対応するスケジュールの詳細情報を表示させる第２表示制御手段と、
を備え、
前記第１表示制御手段は、所定の表示領域に所定のスケジュール情報が表示されているときに分割指示操作がなされた場合に、前記所定の表示領域を前記第１の表示領域と前記第２の表示領域とに分割させることを特徴とする表示制御装置。
【請求項３】
前記第１表示制御手段は、表示されるスケジュール期間の範囲が前記第１の表示領域と前記第２の表示領域との間で互いに等しくなるようにスケジュール情報を表示させることを特徴とする請求項１または２に記載の表示制御装置。
【請求項４】
前記第２表示制御手段は、前記スケジュールの詳細情報を吹き出し表示させることを特徴とする請求項１から３の何れかに記載の表示制御装置。
【請求項５】
コンピュータを、
第１の表示領域に第１のスケジュール情報をカレンダー表示させるとともに第２の表示領域に前記第１のスケジュール情報とは異なる第２のスケジュール情報をカレンダー表示させる第１表示制御手段、
前記第１表示制御手段により前記第１のスケジュール情報が前記第１の表示領域にカレンダー表示されているとともに前記第２の表示領域に前記第２のスケジュール情報がカレンダー表示されているときに前記第１の表示領域と前記第２の表示領域とのうち何れか一方の表示領域における所定の日付枠が操作された場合に、当該日付枠に対応するスケジュールの詳細情報を前記第１の表示領域と前記第２の表示領域とのうち前記日付枠が操作された方の表示領域に表示させるとともに他方の表示領域に当該他方の表示領域における所定の日付枠に対応するスケジュールの詳細情報を表示させる第２表示制御手段、
として機能させ、
前記第１表示制御手段は、所定の表示領域に所定のスケジュール情報が表示されているときに分割指示操作がなされた場合に、前記所定の表示領域を前記第１の表示領域と前記第２の表示領域とに分割させることを特徴とするプログラム。
【請求項６】
コンピュータを、
第１の表示領域に第１のスケジュール情報を時間帯枠で区分表示させるとともに第２の表示領域に前記第１のスケジュール情報とは異なる第２のスケジュール情報を時間帯枠で区分表示させる第１表示制御手段、
前記第１表示制御手段により前記第１のスケジュール情報が前記第１の表示領域に時間帯枠で区分表示されているとともに前記第２の表示領域に前記第２のスケジュール情報が時間帯枠で区分表示されているときに前記第１の表示領域と前記第２の表示領域とのうち何れか一方の表示領域における所定の時間帯枠が操作された場合に、当該時間帯枠に対応するスケジュールの詳細情報を前記第１の表示領域と前記第２の表示領域とのうち前記時間帯枠が操作された方の表示領域に表示させるとともに他方の表示領域に当該他方の表示領域における所定の時間帯枠に対応するスケジュールの詳細情報を表示させる第２表示制御手段、
として機能させ、
前記第１表示制御手段は、所定の表示領域に所定のスケジュール情報が表示されているときに分割指示操作がなされた場合に、前記所定の表示領域を前記第１の表示領域と前記第２の表示領域とに分割させることを特徴とするプログラム。
【発明の詳細な説明】
【技術分野】
【０００１】
本発明は、表示制御装置及びプログラムに関する。
【背景技術】
【０００２】
従来、スケジュール管理を行うスケジュール管理装置が知られている。例えば、スケジュール管理を行うカレンダーの対応する日時の欄に天気予報を表示することで行動計画の立案を便利にすることができる情報処理装置が知られている（特許文献１参照）。
【先行技術文献】
【特許文献】
【０００３】
【特許文献１】特開平９−１２８４４１号公報
【発明の概要】
【発明が解決しようとする課題】
【０００４】
しかしながら、上記情報処理装置において、例えば、スケジュール表として月単位のカレンダーを採用した場合、個々の日時の欄が狭くなってしまうため、日時の欄に行動予定と天気予報とを表示すると、カレンダーの表示が見難くなってしまうという問題がある。特に、この情報処理装置がスマートフォン等の携帯端末装置である場合、上記の問題が顕著である。また、表示画面を遷移させることによって、行動予定を表示するカレンダーと天気予報を表示するカレンダーを別々に表示させた場合、カレンダーの表示が見難くなってしまうという上記の問題は解消されるが、各カレンダーに表示された行動予定と天気予報を比較し難くなってしまう。
【０００５】
本発明は、このような問題に鑑みてなされたものであり、カレンダーと対応づけて管理するデータについて視点の異なる複数のデータを同時に把握しやすくすることを目的とする。
【課題を解決するための手段】
【０００６】
上記課題を解決するため、本発明に係る表示制御装置は、第１の表示領域に第１のスケジュール情報をカレンダー表示させるとともに第２の表示領域に前記第１のスケジュール情報とは異なる第２のスケジュール情報をカレンダー表示させる第１表示制御手段と、前記第１表示制御手段により前記第１のスケジュール情報が前記第１の表示領域にカレンダー表示されているとともに前記第２の表示領域に前記第２のスケジュール情報がカレンダー表示されているときに前記第１の表示領域と前記第２の表示領域とのうち何れか一方の表示領域における所定の日付枠が操作された場合に、当該日付枠に対応するスケジュールの詳細情報を前記第１の表示領域と前記第２の表示領域とのうち前記日付枠が操作された方の表示領域に表示させるとともに他方の表示領域に当該他方の表示領域における所定の日付枠に対応するスケジュールの詳細情報を表示させる第２表示制御手段と、を備え、前記第１表示制御手段は、所定の表示領域に所定のスケジュール情報が表示されているときに分割指示操作がなされた場合に、前記所定の表示領域を前記第１の表示領域と前記第２の表示領域とに分割させることを特徴とする。
また、本発明に係る他の態様の表示制御装置は、第１の表示領域に第１のスケジュール情報を時間帯枠で区分表示させるとともに第２の表示領域に前記第１のスケジュール情報とは異なる第２のスケジュール情報を時間帯枠で区分表示させる第１表示制御手段と、前記第１表示制御手段により前記第１のスケジュール情報が前記第１の表示領域に時間帯枠で区分表示されているとともに前記第２の表示領域に前記第２のスケジュール情報が時間帯枠で区分表示されているときに前記第１の表示領域と前記第２の表示領域とのうち何れか一方の表示領域における所定の時間帯枠が操作された場合に、当該時間帯枠に対応するスケジュールの詳細情報を前記第１の表示領域と前記第２の表示領域とのうち前記時間帯枠が操作された方の表示領域に表示させるとともに他方の表示領域に当該他方の表示領域における所定の時間帯枠に対応するスケジュールの詳細情報を表示させる第２表示制御手段と、を備え、前記第１表示制御手段は、所定の表示領域に所定のスケジュール情報が表示されているときに分割指示操作がなされた場合に、前記所定の表示領域を前記第１の表示領域と前記第２の表示領域とに分割させることを特徴とする。
【０００７】
また、本発明に係るプログラムは、コンピュータを、第１の表示領域に第１のスケジュール情報をカレンダー表示させるとともに第２の表示領域に前記第１のスケジュール情報とは異なる第２のスケジュール情報をカレンダー表示させる第１表示制御手段、前記第１表示制御手段により前記第１のスケジュール情報が前記第１の表示領域にカレンダー表示されているとともに前記第２の表示領域に前記第２のスケジュール情報がカレンダー表示されているときに前記第１の表示領域と前記第２の表示領域とのうち何れか一方の表示領域における所定の日付枠が操作された場合に、当該日付枠に対応するスケジュールの詳細情報を前記第１の表示領域と前記第２の表示領域とのうち前記日付枠が操作された方の表示領域に表示させるとともに他方の表示領域に当該他方の表示領域における所定の日付枠に対応するスケジュールの詳細情報を表示させる第２表示制御手段、として機能させ、前記第１表示制御手段は、所定の表示領域に所定のスケジュール情報が表示されているときに分割指示操作がなされた場合に、前記所定の表示領域を前記第１の表示領域と前記第２の表示領域とに分割させることを特徴とする。
また、本発明に係る他の態様のプログラムは、コンピュータを、第１の表示領域に第１のスケジュール情報を時間帯枠で区分表示させるとともに第２の表示領域に前記第１のスケジュール情報とは異なる第２のスケジュール情報を時間帯枠で区分表示させる第１表示制御手段、前記第１表示制御手段により前記第１のスケジュール情報が前記第１の表示領域に時間帯枠で区分表示されているとともに前記第２の表示領域に前記第２のスケジュール情報が時間帯枠で区分表示されているときに前記第１の表示領域と前記第２の表示領域とのうち何れか一方の表示領域における所定の時間帯枠が操作された場合に、当該時間帯枠に対応するスケジュールの詳細情報を前記第１の表示領域と前記第２の表示領域とのうち前記時間帯枠が操作された方の表示領域に表示させるとともに他方の表示領域に当該他方の表示領域における所定の時間帯枠に対応するスケジュールの詳細情報を表示させる第２表示制御手段、として機能させ、前記第１表示制御手段は、所定の表示領域に所定のスケジュール情報が表示されているときに分割指示操作がなされた場合に、前記所定の表示領域を前記第１の表示領域と前記第２の表示領域とに分割させることを特徴とする。
【発明の効果】
【０００８】
本発明によれば、カレンダーと対応づけて管理するデータについて視点の異なる複数のデータを同時に把握しやすくすることができる。
【図面の簡単な説明】
【０００９】
【図１】本発明の実施の形態の店舗データ管理システムを示すブロック図である。
【図２】サーバの機能構成を示すブロック図である。
【図３】端末装置の機能構成を示すブロック図である。
【図４】スタンプデータテーブルの構成を示す図である。
【図５】アカウントデータテーブルの構成を示す図である。
【図６】カレンダーデータテーブルの構成を示す図である。
【図７】予約データテーブルの構成を示す図である。
【図８】シフトデータテーブルの構成を示す図である。
【図９】情報表示入力処理を示すフローチャートである。
【図１０】分割表示制御処理を示すフローチャートである。
【図１１】属性及び時期選択処理を示すフローチャートである。
【図１２】比較表示制御処理を示すフローチャートである。
【図１３】分割表示制御処理を実行した際の端末装置の表示画面の一例を示す図である。
【図１４】分割表示制御処理を実行した際の端末装置の表示画面の一例を示す図である。
【図１５】（ａ）は、第１の属性選択フォーム又は第２の属性選択フォームで表示される選択項目の一覧の一例を示す図であり、（ｂ）は、第１の時期選択フォーム又は第２の時期選択フォームで表示される選択項目の一覧の一例を示す図である。
【図１６】分割表示制御処理を実行した際の端末装置の表示画面の一例を示す図である。
【図１７】分割表示制御処理を実行した際の端末装置の表示画面の一例を示す図である。
【図１８】比較表示制御処理を実行した際の端末装置の表示画面の一例を示す図である。
【図１９】比較表示制御処理を実行した際の端末装置の表示画面の一例を示す図である。
【図２０】スケジュールテンプレートの一例を示す図である。
【図２１】分割表示制御処理を実行した際の端末装置の表示画面の一例を示す図である。
【発明を実施するための形態】
【００１０】
以下、添付図面を参照して本発明に係る実施の形態を詳細に説明する。なお、本発明は、図示例に限定されるものではない。
【００１１】
図１〜図３を参照して、本実施の形態の装置構成を説明する。先ず、図１を参照して、本実施の形態の店舗データ管理システム１を説明する。図１は、本実施の形態の店舗データ管理システム１を示すブロック図である。
【００１２】
店舗データ管理システム１は、サーバ１０と、複数の端末装置２０と、を備える。本実施の形態では、店舗データ管理システム１は、一例として、個人経営のレストランで働く複数の従業員（オーナー、店長、アルバイト等）で共用されるシステムであるものとするが、これに限定されるものではない。
【００１３】
サーバ１０は、通信ネットワークＮに接続されたサーバであり、端末装置２０のユーザが担当する業務に関する店舗データを管理する。通信ネットワークＮは、インターネットであるものとするが、ＬＡＮ（Local Area Network）等、他のネットワークとしてもよい。
【００１４】
端末装置２０は、レストランの各従業員としてのユーザがそれぞれ所持する携帯端末装置である。ここでは、端末装置２０がスマートフォンであるものとして説明するが、これに限定されるものではなく、端末装置２０が、タブレットＰＣ（Personal Computer）、携帯電話機、ＰＤＡ（Personal Digital Assistant）、ノートＰＣ等、他の携帯端末装置や、デスクトップＰＣ等の端末装置であるものとしてもよい。また、端末装置２０は、ユーザの操作等の入力を受け付けてサーバ１０に送信し、サーバ１０から受信した情報を表示する。また、端末装置２０は、通信ネットワークＮ上の基地局、アクセスポイント（いずれも図示略）等を介して、通信ネットワークＮに接続されている。
【００１５】
なお、店舗データ管理システム１は、複数台の端末装置２０の各ユーザが担当する業務に関する店舗データをサーバ１０が管理する構成とするが、これに限定されるものではない。店舗データ管理システム１は、１人の個人ユーザが所持する１台の端末装置２０を備える構成としたり、１台の端末装置２０を複数のユーザが共用する構成としてもよい。
【００１６】
次いで、図２を参照して、サーバ１０の内部の機能構成を説明する。図２は、サーバ１０の機能構成を示すブロック図である。
【００１７】
図２に示すように、サーバ１０は、スケジュール表示制御手段としてのＣＰＵ（Central Processing Unit）１１と、操作部１２と、ＲＡＭ（Random Access Memory）１３と、表示部１４と、記憶部１５と、通信部１６と、計時部１７と、を備える。サーバ１０の各部は、バス１８を介して接続されている。
【００１８】
ＣＰＵ１１は、サーバ１０の各部を制御する。ＣＰＵ１１は、記憶部１５に記憶されているシステムプログラム及びアプリケーションプログラムのうち、指定されたプログラムを読み出してＲＡＭ１３に展開し、当該プログラムとの協働で、各種処理を実行する。
【００１９】
操作部１２は、キーボード等のキー入力部と、マウス等のポインティングデバイスとを有し、キー入力及び位置入力を受け付け、その操作情報をＣＰＵ１１に出力する。
【００２０】
ＲＡＭ１３は、揮発性のメモリであり、各種のデータやプログラムを一時的に格納するワークエリアを形成する。表示部１４は、ＬＣＤ（Liquid Crystal Display）、ＥＬ（Electro Luminescence）ディスプレイ等で構成され、ＣＰＵ１１から指示された表示情報に従い各種表示を行う。
【００２１】
記憶部１５は、ＨＤＤ（Hard Disk Drive）、ＳＳＤ（Solid State Drive）等により構成され、データ及びプログラムを書き込み及び読み出し可能な記憶部である。特に、記憶部１５は、分割表示制御プログラム１５１と、後述するスタンプデータテーブル３０、アカウントデータテーブル４０、カレンダーデータテーブル５０、予約データテーブル６０、シフトデータテーブル７０等を記憶している。
【００２２】
通信部１６は、ネットワークカード等により構成され、通信ネットワークＮに通信接続されて、通信ネットワークＮ上の機器との通信を行う。ＣＰＵ１１は、通信部１６を介して、通信ネットワークＮ上の端末装置２０と通信が可能である。
【００２３】
計時部１７は、リアルタイムクロックであり、現在日時を計時し、計時した現在日時情報をＣＰＵ１１に出力する。
【００２４】
次いで、図３を参照して、端末装置２０の機能構成を説明する。図３は、端末装置２０の機能構成を示すブロック図である。
【００２５】
端末装置２０は、表示態様制御手段、検出手段、スライド制御手段としてのＣＰＵ２１と、操作部２２と、ＲＡＭ２３と、表示部２４と、記憶部２５と、無線通信部２６と、音声入出力部２７と、を備える。端末装置２０の各部は、バス２８を介して接続されている。
【００２６】
ＣＰＵ２１、ＲＡＭ２３、表示部２４は、サーバ１０のＣＰＵ１１、ＲＡＭ１３、表示部１４と同様であるため、重複する説明を省略し、異なる部分を主として説明する。
【００２７】
ＣＰＵ２１は、端末装置２０の各部を制御する。操作部２２は、表示部２４の表示画面上に設けられたタッチパネルを有し、ユーザからのタッチ入力を受け付け、その操作情報をＣＰＵ２１に出力する。
【００２８】
記憶部２５は、フラッシュメモリ、ＥＥＰＲＯＭ（Electrically Erasable Programmable ROM）等により構成され、データ及びプログラムを書き込み及び読み出し可能な記憶部である。特に、記憶部２５には、情報表示入力プログラム２５１と、比較表示制御プログラム２５２と、が記憶されている。
【００２９】
無線通信部２６は、アンテナ、変復調回路、信号処理回路等により構成され、通信ネットワークＮ上の基地局、アクセスポイント等と無線電波により情報の送受信を行う。このため、ＣＰＵ２１は、無線通信部２６により、通信ネットワークＮ上の基地局、アクセスポイント等を介して、サーバ１０と通信を行うことができる。
【００３０】
音声入出力部２７は、マイク、ＡＤコンバーター等の音声入力部と、ＤＡコンバーター、アンプ、スピーカー等の音声出力部と、で構成される。音声入出力部２７は、音声入力時に、マイクからユーザの音声の入力を受け付け、音声入力信号をデジタルの音声入力情報に変換してＣＰＵ２１に出力し、音声出力時に、音声出力信号をアナログの音声出力信号に変換してスピーカーから音声出力する。なお、スマートフォンとしての端末装置２０において、測位部等の他の構成部は図示及び説明を省略している。
【００３１】
次に、図４〜図８を参照して、サーバ１０の記憶部１５に記憶されるスタンプデータテーブル３０、アカウントデータテーブル４０、カレンダーデータテーブル５０、予約データテーブル６０、シフトデータテーブル７０を説明する。図４は、スタンプデータテーブル３０の構成を示す図である。図５は、アカウントデータテーブル４０の構成を示す図である。図６は、カレンダーデータテーブル５０の構成を示す図である。図７は、予約データテーブル６０の構成を示す図である。図８は、シフトデータテーブル７０の構成を示す図である。
【００３２】
スタンプデータテーブル３０は、カレンダーに表示するスタンプマークとしてのスタンプを定義するデータテーブルである。図４に示すように、スタンプデータテーブル３０は、スタンプ番号３１、表示３２、スタンプイメージ３３、タスク内容３４、メッセージ３５、表示色３６の項目（フィールド）を有する。
【００３３】
スタンプ番号３１は、タスクの種別毎に設定されたスタンプの識別情報である。表示３２は、スタンプ番号３１のスタンプの文字部分の情報である。スタンプイメージ３３は、スタンプ番号３１のスタンプの表示イメージデータである。スタンプイメージ３３は、円の内部に表示３２の１つの文字を有する囲い文字の態様とするが、これに限定されるものではない。例えば、スタンプイメージ３３は、矩形等他の形状と文字とを組み合わせた他の態様のスタンプイメージとしてもよい。タスク内容３４は、スタンプ番号３１のスタンプに対応するタスクの予め設定された内容の情報である。メッセージ３５は、スタンプ番号３１のスタンプに対応するタスクの予め設定されたメッセージの情報である。「××さん」とは、「××」にタスクの登録者の名称が入る。
【００３４】
表示色３６は、スタンプ番号３１のスタンプの予め設定された基本の表示色の情報である。スタンプデータテーブル３０の各情報は、例えば、端末装置２０の操作部２２を介する管理者等のユーザからの操作入力に応じて、サーバ１０のＣＰＵ１１により予め設定される。
【００３５】
アカウントデータテーブル４０は、レストランの従業員（端末装置２０のユーザ）のアカウント情報を有するテーブルである。アカウントデータテーブル４０は、従業員番号４１、氏名４２、役職４３、役割４４、パスワード４５の項目を有する。
【００３６】
従業員番号４１は、レストランの従業員の識別情報であり、本実施の形態では、ログインＩＤとしても機能するものとする。氏名４２は、従業員番号４１の従業員の氏名の情報である。役職４３は、従業員番号４１の従業員の役職の情報である。役割４４は、従業員番号４１の従業員の業務上の役割の情報である。パスワード４５は、従業員番号４１の従業員のパスワードの情報である。
【００３７】
カレンダーデータテーブル５０は、各属性のカレンダー情報を生成する際の当該各属性に関する情報を有するテーブルである。カレンダーデータテーブル５０は、日付５１、曜日５２、属性５３の項目を有する。
【００３８】
日付５１は、カレンダー情報として表示される日付の情報である。曜日５２は、カレンダー情報として表示される曜日の情報である。属性５３は、カレンダー情報の属性の情報である。属性５３は、売上５３ａ、天気５３ｂ、シフト５３ｃ、予約５３ｄ、客数５３ｅ、伝言メモ５３ｆ、イベント５３ｇ、客単価５３ｈ、経費５３ｉ等の項目を有する。本実施形態では、カレンダーデータテーブル５０の各情報に基づき、売上、天気、シフト、予約、客数、伝言メモ、イベント、客単価、経費等の各属性のデータを示すカレンダー情報が生成され、端末装置２０に表示される。また、予約、伝言メモ、イベントの各々の属性のカレンダー情報については、これらの属性に対応するスタンプイメージ（図４参照）を用いてカレンダー情報が生成される。なお、図６に示すように、カレンダーデータテーブル５０に欄に記されている「Ｎ／Ａ」は未記入の状態であることを示すものである。
【００３９】
売上５３ａは、日ごとの売上金額の情報である。天気５３ｂは、気象状態の情報である。シフト５３ｃは、勤務する従業員の人数の情報である。予約５３ｄは、登録された予約の数（組数）の情報である。客数５３ｅは、来店した客数の情報である。伝言メモ５３ｆは、他の従業員に知らせるためのメモ情報である。イベント５３ｇは、レストラン周辺で開催されるイベントの情報である。客単価５３ｈは、来店した客一人あたりの支払額の情報である。経費５３ｉは、雑費の金額の情報である。
【００４０】
予約データテーブル６０は、登録された予約に関する情報を有するテーブルである。予約データテーブル６０は、予約Ｎｏ．６１、日付６２、曜日６３、時間６４、代表者名６５、人数６６、電話番号６７、その他６８、予約登録者６９の項目を有する。
【００４１】
予約Ｎｏ．６１は、登録された予約の識別情報である。日付６２は、登録された予約の日付の情報である。曜日６３は、登録された予約の曜日の情報である。時間６４は、登録された予約の時間の情報である。代表者名６５は、予約した人の名前の情報である。人数６６は、予約人数の情報である。電話番号６７は、予約した人の電話番号の情報である。その他６８は、上記の各項目以外の予約に関する内容の情報である。予約登録者６９は、予約を登録した従業員である登録者の名前の情報である。
【００４２】
シフトデータテーブル７０は、勤務シフトに関する情報を有するテーブルである。シフトデータテーブル７０は、日付７１、曜日７２、従業員数７３、従業員名７４の項目を有する。
【００４３】
日付７１は、勤務を行う日付の情報である。曜日７２は、勤務を行う曜日の情報である。従業員数７３は、勤務を行う従業員の人数の情報である。従業員名７４は、勤務を行う従業員の名前の情報である。なお、従業員名７４の項目に記されている「Ｎ／Ａ」は未記入の状態であることを示すものである。
【００４４】
次に、図９〜図１９を参照して、店舗データ管理システム１の動作を説明する。図９は、情報表示入力処理を示すフローチャートである。図１０は、分割表示制御処理を示すフローチャートである。図１１は、属性及び時期選択処理を示すフローチャートである。図１２は、比較表示制御処理を示すフローチャートである。図１３（ａ），（ｂ）、図１４（ａ），（ｂ）は、分割表示制御処理を実行した際の各状況下における端末装置２０の表示画面を示す図である。図１５（ａ）は、第１の属性選択フォーム又は第２の属性選択フォームで表示される選択項目の一覧の一例を示す図である。図１５（ｂ）は、第１の時期選択フォーム又は第２の時期選択フォームで表示される選択項目の一覧の一例を示す図である。図１６（ａ），（ｂ）、図１７（ａ），（ｂ）は、分割表示制御処理を実行した際の各状況下における端末装置２０の表示画面を示す図である。図１８（ａ），（ｂ）、図１９（ａ），（ｂ）は、比較表示制御処理を実行した際の各状況下における端末装置２０の表示画面を示す図である。
【００４５】
先ず、図９を参照して、端末装置２０で実行される情報表示入力処理を説明する。情報表示入力処理は、分割表示制御処理に関する表示情報の表示と情報の入力受付を行う処理である。端末装置２０において、操作部２２を介して、ユーザから情報表示入力処理の実行指示が入力されたことをトリガとして、ＣＰＵ２１は、記憶部２５から読み出して適宜ＲＡＭ２３に展開した情報表示入力プログラム２５１との協働で、情報表示入力処理を実行する。
【００４６】
先ず、ＣＰＵ２１は、操作部２２を介して、情報表示入力処理の終了指示が入力されたか否かを判定する（ステップＳ１１）。
ステップＳ１１において、終了指示が入力されたと判定された場合（ステップＳ１１；ＹＥＳ）、ＣＰＵ２１は、情報表示入力処理を終了する。
一方、ステップＳ１１において、終了指示が入力されていないと判定された場合（ステップＳ１１；ＮＯ）、ＣＰＵ２１は、無線通信部２６を介して、サーバ１０から表示情報を受信したか否か判定する（ステップＳ１２）。
【００４７】
ステップＳ１２において、表示情報を受信したと判定された場合（ステップＳ１２；ＹＥＳ）、ＣＰＵ２１は、受信した表示情報を表示部２４に表示する（ステップＳ１３）。そして、ＣＰＵ２１は、操作部２２を介する終了指示以外の操作入力、又は音声入出力部２７を介する音声入力による情報入力がされたか否かを判定する（ステップＳ１４）。
一方、ステップＳ１２において、表示情報を受信していないと判定された場合（ステップＳ１２；ＮＯ）、ステップＳ１３をスキップして、ステップＳ１４に移行する。
【００４８】
ステップＳ１４において、情報入力されたと判定された場合（ステップＳ１４；ＹＥＳ）、ＣＰＵ２１は、無線通信部２６を介して、ステップＳ１４で入力された入力情報（操作情報、テキスト情報、音声情報等）をサーバ１０に送信し（ステップＳ１５）、ステップＳ１１に移行する。
一方、ステップＳ１４において、情報入力されていないと判定された場合（ステップＳ１４；ＮＯ）、ステップＳ１１に移行する。
【００４９】
次いで、図１０〜図１７を参照して、サーバ１０で実行される分割表示制御処理を説明する。分割表示制御処理は、端末装置２０の表示部２４の表示領域を分割し、分割された各々の表示領域にカレンダー情報を表示させる処理である。このカレンダー情報は、複数のスケジュール枠が所定の形式で設けられたスケジュールテンプレートの当該複数のスケジュール枠それぞれに所定の日付情報または時間帯情報が対応付けられたスケジュール表である。本実施の形態では、カレンダー情報は、日付をスケジュール枠として、複数の日付を経時的に並べて一覧表示したものとする。より具体的には、本実施形態のカレンダー情報は、１週間を横一列にして複数のスケジュール枠を格子状となるように並べて一覧表示したスケジュールテンプレート（図２０（ａ）参照）の当該複数のスケジュール枠それぞれに所定の日付情報が対応付けられた月間（月別）カレンダー形式のスケジュール表とする。
【００５０】
ある従業員の端末装置２０において、図９の情報表示入力処理のステップＳ１４に対応して、分割表示制御処理の実行指示が入力され、ステップＳ１５で分割表示制御処理の実行指示がサーバ１０に送信されたとする。この場合、サーバ１０においては、図９のステップＳ１５に対応して、通信部１６を介して、分割表示制御処理の実行指示を端末装置２０から受信したことをトリガとして、ＣＰＵ１１が、記憶部１５から読み出して適宜ＲＡＭ１３に展開した分割表示制御プログラム１５１との協働で、分割表示制御処理を実行する。
【００５１】
先ず、ＣＰＵ１１は、ログイン画面情報を生成し、図９の情報表示入力処理のステップＳ１２，Ｓ１５に対応して、通信部１６を介して、生成したログイン画面情報を通信先の端末装置２０に送信して表示させ、ログインＩＤとしての従業員番号及びパスワードを通信先の端末装置２０から受信し、アカウントデータテーブル４０を記憶部１５から読み出し、受信した従業員番号及びパスワードとアカウントデータテーブル４０とを用いてログイン認証を行う（ステップＳ２１）。ログイン画面情報は、ログインＩＤ及びパスワードの入力領域を有する。
【００５２】
つまり、端末装置２０のＣＰＵ２１は、このステップＳ２１に対応して、図９のステップＳ１２，Ｓ１３で、ログイン画面情報の受信及び表示を行い、図９のステップＳ１４，Ｓ１５で、操作部２２を介するログインＩＤとしての従業員番号及びパスワードの入力、その入力情報のサーバ１０への送信を行う。
【００５３】
そして、ＣＰＵ１１は、受信された従業員番号及びパスワードがアカウントデータテーブル４０の従業員番号４１及びパスワード４５のレコードにあるかに応じてログイン認証を行う。
【００５４】
また、ＣＰＵ１１は、計時部１７から現在日時情報を取得し、スタンプデータテーブル３０、カレンダーデータテーブル５０等を記憶部１５から読み出し、現在日時情報、スタンプデータテーブル３０、アカウントデータテーブル４０、カレンダーデータテーブル５０等を用いて、ステップＳ１１で認証されたユーザに対応する業務連絡画面情報を生成し、図９のステップＳ１２に対応して、通信部１６を介して、生成した業務連絡画面情報を通信先の端末装置２０に送信し表示させる（ステップＳ２２）。
【００５５】
ステップＳ２２において、ＣＰＵ１１は、現在時刻情報に対応する当月のカレンダー情報を用意し、表示が必要となるスタンプのスタンプイメージ３３をカレンダー情報の対応する日付上に配置する。ＣＰＵ１１は、当該スタンプを配置したカレンダー情報の表示領域と、ログインした従業員の氏名４２の表示領域と、スタンプの登録用のスタンプボタン選択領域と、ＴｏＤｏボタンと、分割ボタンと、を含む業務連絡画面情報を生成する。カレンダー情報上のスタンプの色は、表示色３６の表示色に設定されるものとする。また、業務連絡画面情報は、スタンプボタン入力領域のスタンプボタン入力でそのスタンプ番号が指定できるものとする。
【００５６】
つまり、端末装置２０のＣＰＵ２１は、このステップＳ２２に対応して、図９のステップＳ１２，Ｓ１３で、業務連絡画面情報の受信及び表示を行う。ステップＳ２２では、例えば、図１３（ａ）、図１６（ａ）に示す業務連絡画面３００Ａを示す業務連絡画面情報が生成される。
【００５７】
業務連絡画面３００Ａは、ログインユーザ表示領域３１０と、分割ボタン３２０と、ＴｏＤｏボタン３３０と、カレンダー表示領域３４０と、スタンプボタン選択領域３５０と、を有する。ログインユーザ表示領域３１０は、ログインユーザの表示領域である。業務連絡画面３００Ａは、ログインユーザ表示領域３１０のログインユーザが店長の山田次郎である例とする。
【００５８】
分割ボタン３２０は、カレンダー表示領域３４０を分割し、分割された各々の表示領域にユーザ所望の属性及び時期（表示時期）のカレンダー情報を表示（比較表示）させる入力を受け付けるボタンである。
ＴｏＤｏボタン３３０は、ログイン当日の期限のタスクを一覧表示させる入力を受け付けるボタンである。
【００５９】
カレンダー表示領域３４０は、ログイン当月のカレンダー上にスタンプを配置したカレンダー情報の表示領域である。カレンダー表示領域３４０には、例えば、予約のタスクのスタンプ３４１と、伝言のタスクのスタンプ３４２と、イベントのタスクのスタンプ３４３を含む。カレンダー表示領域３４０のスタンプは、ユーザによるタッチ入力が可能である。
【００６０】
スタンプボタン選択領域３５０は、スタンプ登録時の選択用のスタンプボタンを有する表示領域である。スタンプボタン選択領域３５０には、例えば、発注、予定、イベントのタスクのスタンプボタン３５１，３５２，３５３と、他表示ボタン３５４と、を有する。スタンプボタン３５１，３５２，３５３は、スタンプボタン使用の履歴情報（図示略）に基づき、左から右に、過去に使用されたスタンプボタンが現在日時から近い順に配置されている。他表示ボタン３５４は、スタンプボタン３５１，３５２，３５３以外の他のスタンプボタンを表示させるためのタッチ入力を受け付けるボタンであり、例えば、そのタッチ入力により他のスタンプボタンの一覧情報を表示させる。
【００６１】
また、端末装置２０のＣＰＵ２１は、ステップＳ２２に対応して、図９のステップＳ１４，Ｓ１５で、操作部２２を介する分割ボタン３２０、ＴｏＤｏボタン３３０、カレンダー表示領域３４０のスタンプ又はスタンプボタン選択領域３５０のスタンプボタンの入力を受け付け、サーバ１０へ入力情報の送信を行う。
【００６２】
そして、ＣＰＵ１１は、図９のステップＳ１５に対応して、通信部１６を介して、分割ボタン３２０のタッチ入力情報を通信先の端末装置２０から受信したか否かに応じて、分割ボタン３２０が入力されたか否かを判定する（ステップＳ２３）。
【００６３】
ステップＳ２３において、分割ボタン３２０が入力されていないと判定された場合（ステップＳ２３；ＮＯ）、ＣＰＵ１１は、分割ボタン３２０が入力されたと判定されるまでの間、ステップＳ２３の判定処理を行う。
そして、ステップＳ２３において、分割ボタン３２０が入力されたと判定された場合（ステップＳ２３；ＹＥＳ）、ＣＰＵ１１は、分割形式入力フォーム情報を生成し、図９のステップＳ１２に対応して、通信部１６を介して、生成した分割形式入力フォーム情報を通信先の端末装置２０に送信し表示させる（ステップＳ２４）。
【００６４】
つまり、端末装置２０のＣＰＵ２１は、このステップＳ２４に対応して、図９のステップＳ１２，Ｓ１３で、分割形式入力フォーム情報の受信及び表示を行う。ステップＳ２４では、例えば、図１３（ｂ）、図１６（ｂ）の表示画面３００Ｂに含まれる吹き出し形状をなした分割形式入力フォーム３６０を表示するための分割形式入力フォーム情報が生成される。分割形式入力フォーム３６０は、「横に分割」ボタン３６１、「縦に分割」ボタン３６２を有する。
【００６５】
「横に分割」ボタン３６１は、図１７（ｂ）に示すように、カレンダー表示領域３４０を上側の表示領域と下側の表示領域とに分割させる入力を受け付けるボタンである。
「縦に分割」ボタン３６２は、図１４（ｂ）に示すように、カレンダー表示領域３４０を左側の表示領域と右側の表示領域とに分割させる入力を受け付けるボタンである。
【００６６】
また、端末装置２０のＣＰＵ２１は、ステップＳ２４に対応して、図９のステップＳ１４，Ｓ１５で、操作部２２を介する「横に分割」ボタン３６１又は「縦に分割」ボタン３６２の入力を受け付け、サーバ１０へ入力情報の送信を行う。
【００６７】
そして、ＣＰＵ１１は、図９のステップＳ１５に対応して、通信部１６を介して、「横に分割」ボタン３６１又は「縦に分割」ボタン３６２のタッチ入力情報を通信先の端末装置２０から受信したか否かに応じて、「横に分割」ボタン３６１又は「縦に分割」ボタン３６２が入力されたか否かを判定する（ステップＳ２５）。
【００６８】
ステップＳ２５において、「横に分割」ボタン３６１も「縦に分割」ボタン３６２も入力されていないと判定された場合（ステップＳ２５；ＮＯ）、ＣＰＵ１１は、「横に分割」ボタン３６１又は「縦に分割」ボタン３６２が入力されたと判定されるまでの間、ステップＳ２５の判定処理を行う。
そして、ステップＳ２５において、「横に分割」ボタン３６１又は「縦に分割」ボタン３６２が入力されたと判定された場合（ステップＳ２５；ＹＥＳ）、ＣＰＵ１１は、属性及び時期入力フォーム情報を生成し、図９のステップＳ１２に対応して、通信部１６を介して、生成した属性及び時期入力フォーム情報を通信先の端末装置２０に送信し表示させる（ステップＳ２６）。
【００６９】
つまり、端末装置２０のＣＰＵ２１は、このステップＳ２６に対応して、図９のステップＳ１２，Ｓ１３で、属性及び時期入力フォーム情報の受信及び表示を行う。
具体的には、図１３（ｂ）に示すように、「縦に分割」ボタン３６２がタッチ入力され、ステップＳ２５において、「縦に分割」ボタン３６２が入力されたと判定された場合（ステップＳ２５；ＹＥＳ）、ステップＳ２６では、例えば、図１４（ａ）の表示画面３００Ｃに含まれる吹き出し形状をなした属性及び時期入力フォーム３７０を表示するための属性及び時期入力フォーム情報が生成される。一方、図１６（ｂ）に示すように、「横に分割」ボタン３６１がタッチ入力され、ステップＳ２５において、「横に分割」ボタン３６１が入力されたと判定された場合（ステップＳ２５；ＹＥＳ）、ステップＳ２６では、例えば、図１７（ａ）の表示画面３００Ｅに含まれる吹き出し形状をなした属性及び時期入力フォーム３８０を表示するための属性及び時期入力フォーム情報が生成される。
【００７０】
図１４（ａ）に示すように、属性及び時期入力フォーム３７０は、第１の属性選択フォーム３７１、第２の属性選択フォーム３７２、第１の時期選択フォーム３７３、第２の時期選択フォーム３７４、ＯＫボタン３７５、キャンセルボタン３７６を有する。
【００７１】
第１の属性選択フォーム３７１は、カレンダー表示領域３４０のうちの左側の表示領域に表示されるカレンダー情報の属性を選択させるフォームである。これに対し、第２の属性選択フォーム３７２は、カレンダー表示領域３４０のうちの右側の表示領域に表示されるカレンダー情報の属性を選択させるフォームである。
第１の属性選択フォーム３７１及び第２の属性選択フォーム３７２はいずれもプルダウン形式の選択フォームである。具体的には、例えば、ユーザによる第１の属性選択フォーム３７１へのタッチ操作がなされると、図１５（ａ）に示すように、属性の選択項目の一覧が表示されるようになっている。図１５（ａ）の表示例では、一覧の最上部に△印を付した「シフト」の項目が表示されている。これは属性として「シフト」が選択されている状態を示している。また、第２の属性選択フォーム３７２へのタッチ操作がなされた場合にも図１５（ａ）の一覧と同様の一覧が表示されるようになっている。
【００７２】
第１の時期選択フォーム３７３は、カレンダー表示領域３４０のうちの左側の表示領域に表示されるカレンダー情報の表示時期を選択させるフォームである。これに対し、第２の時期選択フォーム３７４は、カレンダー表示領域３４０のうちの右側の表示領域に表示されるカレンダー情報の表示時期を選択させるフォームである。
第１の時期選択フォーム３７３及び第２の時期選択フォーム３７４はいずれもプルダウン形式の選択フォームである。具体的には、例えば、ユーザによる第１の時期選択フォーム３７３へのタッチ操作がなされると、図１５（ｂ）に示すように、表示時期の選択項目の一覧が表示されるようになっている。図１５（ｂ）の表示例では、一覧の最上部に△印を付した「現在」の項目を表示されている。これは表示時期として「現在」が選択されている状態を示している。また、第２の時期選択フォーム３７４へのタッチ操作がなされた場合にも図１５（ｂ）の一覧と同様の一覧が表示されるようになっている。
【００７３】
ＯＫボタン３７５は、属性及び時期入力フォーム３７０で選択された選択情報での決定を受け付けるボタンである。
キャンセルボタン３７６は、属性及び時期入力フォーム３７０で選択された選択情報のキャンセルを受け付けるボタンである。
【００７４】
また、図１７（ａ）に示すように、属性及び時期入力フォーム３８０は、第１の属性選択フォーム３８１、第２の属性選択フォーム３８２、第１の時期選択フォーム３８３、第２の時期選択フォーム３８４、ＯＫボタン３８５、キャンセルボタン３８６を有する。
【００７５】
第１の属性選択フォーム３８１は、カレンダー表示領域３４０のうちの上側の表示領域に表示されるカレンダー情報の属性を選択させるフォームである。これに対し、第２の属性選択フォーム３８２は、カレンダー表示領域３４０のうちの下側の表示領域に表示されるカレンダー情報の属性を選択させるフォームである。
第１の属性選択フォーム３８１及び第２の属性選択フォーム３８２はいずれも上述の第１の属性選択フォーム３７１及び第２の属性選択フォーム３７２と同様、プルダウン形式の選択フォームである。なお、第１の属性選択フォーム３８１及び第２の属性選択フォーム３８２における属性の選択項目は、第１の属性選択フォーム３７１及び第２の属性選択フォーム３７２と同様であるため、その説明は省略する。
【００７６】
第１の時期選択フォーム３８３は、カレンダー表示領域３４０のうちの上側の表示領域に表示されるカレンダー情報の表示時期を選択させるフォームである。これに対し、第２の時期選択フォーム３８４は、カレンダー表示領域３４０のうちの下側の表示領域に表示されるカレンダー情報の表示時期を選択させるフォームである。
第１の時期選択フォーム３８３及び第２の時期選択フォーム３８４はいずれも上述の第１の時期選択フォーム３７３及び第２の時期選択フォーム３７４と同様、プルダウン形式の選択フォームである。なお、第１の時期選択フォーム３８３及び第２の時期選択フォーム３８４における表示時期の選択項目は、第１の時期選択フォーム３７３及び第２の時期選択フォーム３７４と同様であるため、その説明は省略する。
【００７７】
ＯＫボタン３８５は、属性及び時期入力フォーム３８０で選択された選択情報での決定を受け付けるボタンである。
キャンセルボタン３８６は、属性及び時期入力フォーム３８０で選択された選択情報のキャンセルを受け付けるボタンである。
【００７８】
そして、ＣＰＵ１１は、属性及び時期選択処理を行う（ステップＳ２７）。なお、属性及び時期選択処理の詳細については後述する。
【００７９】
また、端末装置２０のＣＰＵ２１は、ステップＳ２６，Ｓ２７に対応して、図９のステップＳ１４，Ｓ１５で、操作部２２を介するＯＫボタン３７５，３８５又はキャンセルボタン３７６，３８６の入力を受け付け、サーバ１０へ入力情報の送信を行う。
【００８０】
そして、ＣＰＵ１１は、図９のステップＳ１５に対応して、通信部１６を介して、キャンセルボタン３７６，３８６のタッチ入力情報を通信先の端末装置２０から受信したか否かに応じて、キャンセルボタン３７６，３８６が入力されたか否かを判定する（ステップＳ２８）。
【００８１】
ステップＳ２８において、キャンセルボタン３７６，３８６が入力されたと判定された場合（ステップＳ２８；ＹＥＳ）、ステップＳ２２に移行する。
一方、ステップＳ２８において、キャンセルボタン３７６，３８６が入力されていないと判定された場合（ステップＳ２８；ＮＯ）、ＣＰＵ１１は、図９のステップＳ１５に対応して、通信部１６を介して、ＯＫボタン３７５，３８５のタッチ入力情報を通信先の端末装置２０から受信したか否かに応じて、ＯＫボタン３７５，３８５が入力されたか否かを判定する（ステップＳ２９）。
【００８２】
ステップＳ２９において、ＯＫボタン３７５，３８５が入力されていないと判定された場合（ステップＳ２９；ＮＯ）、ステップＳ２７に移行する。
一方、ステップＳ２９において、ＯＫボタン３７５，３８５が入力されたと判定された場合（ステップＳ２９；ＹＥＳ）、ＣＰＵ１１は、ステップＳ２５で入力された分割形式が縦分割形式（縦割り形式）であるか否かを判定する（ステップＳ３０）。
【００８３】
ステップＳ３０において、分割形式が縦分割形式（縦割り形式）であると判定された場合（ステップＳ３０；ＹＥＳ）、ＣＰＵ１１は、図１４（ａ）に示すように、第１の属性選択フォーム３７１及び第１の時期選択フォーム３７３で選択された属性及び時期の情報をカレンダーデータテーブル５０から取得して、カレンダー表示領域３４０のうちの左側の表示領域に表示させるカレンダー情報を生成するとともに、第２の属性選択フォーム３７２及び第２の時期選択フォーム３７４で選択された属性及び時期の情報をカレンダーデータテーブル５０から取得して、カレンダー表示領域３４０のうちの右側の表示領域に表示させるカレンダー情報を生成し、図９のステップＳ１２に対応して、通信部１６を介して、生成したカレンダー情報を通信先の端末装置２０に送信し、カレンダー表示領域３４０の左側及び右側の各々の表示領域に対応するカレンダー情報を表示させ（ステップＳ３１）、ステップＳ３３に移行する。
【００８４】
つまり、端末装置２０のＣＰＵ２１は、このステップＳ３１に対応して、図９のステップＳ１２，Ｓ１３で、カレンダー情報の受信及び表示を行う。ステップＳ３１では、例えば、図１４（ｂ）の表示画面３００Ｄに含まれるカレンダー情報が生成され、表示画面３００Ｄには、カレンダー表示領域３４０のうちの左側の表示領域に、属性をシフト、表示時期を現在とするカレンダー情報が表示され、右側の表示領域に、属性を予約、表示時期を現在とするカレンダー情報が表示される。このため、ログイン当月のシフトの人数と予約状況を比較表示させることによって、人員の補充・削減等の手立てを考えやすくさせることができるようになる。
また、このとき、カレンダー表示領域３４０の上方には、分割中ボタン３９０が表示される。分割中ボタン３９０は、カレンダー表示領域３４０において分割された各々の表示領域にカレンダー情報が表示されている状態であることを示すとともに、かかる状態を解除するためのタッチ入力を受け付けるボタンである。
【００８５】
ここで、カレンダー表示領域３４０の左側の表示領域と右側の表示領域に表示されるカレンダー情報の表示態様について詳しく説明する。図１４（ｂ）に示すように、表示時期が現在である場合、ログイン当月のカレンダー情報が表示されることとなるが、ログインした日（２０１５年１月１４日）が示す曜日の列とその前後の曜日の列のスケジュール枠（日付枠）に限定してカレンダー情報が表示される。ただし、ログインした日が日曜日である場合は、日、月、火の３列のスケジュール枠（日付枠）に限定してカレンダー情報が表示される。また、ログインした日が土曜日である場合は、木、金、土の３列のスケジュール枠（日付枠）に限定してカレンダー情報が表示される。
【００８６】
また、例えば、表示時期が前年度である場合、ログインした年の前年であり、且つ、ログイン当月と同月のカレンダー情報が表示される。また、表示時期が来年度である場合、ログインした年の次年であり、且つ、ログイン当月と同月のカレンダー情報が表示される。
また、表示時期が前月である場合、ログイン当月の前月のカレンダー情報が表示される。また、表示時期が来月である場合、ログイン当月の次月のカレンダー情報が表示される。
また、表示時期が先週である場合、ログイン当月のカレンダー情報が表示されることとなるが、ログインした日を含む週を一列分だけ下方にずらして表示される。また、表示時期が来週である場合、ログイン当月のカレンダー情報が表示されることとなるが、ログインした日を含む週を一列分だけ上方にずらして表示される。
なお、表示時期として何れの項目が選択された場合であっても、このときに限定して表示されるスケジュール枠は、ログインした日が示す曜日の列とその前後の曜日の列のスケジュール枠とする。
【００８７】
また、ステップＳ３０において、分割形式が縦分割形式（縦割り形式）でないと判定された場合（ステップＳ３０；ＮＯ）、ＣＰＵ１１は、図１７（ａ）に示すように、第１の属性選択フォーム３８１及び第１の時期選択フォーム３８３で選択された属性及び時期の情報をカレンダーデータテーブル５０から取得して、カレンダー表示領域３４０のうちの上側の表示領域に表示させるカレンダー情報を生成するとともに、第２の属性選択フォーム３８２及び第２の時期選択フォーム３８４で選択された属性及び時期の情報をカレンダーデータテーブル５０から取得して、カレンダー表示領域３４０のうちの下側の表示領域に表示させるカレンダー情報を生成し、図９のステップＳ１２に対応して、通信部１６を介して、生成したカレンダー情報を通信先の端末装置２０に送信し、カレンダー表示領域３４０の上側及び下側の各々の表示領域に対応するカレンダー情報を表示させ（ステップＳ３１）、ステップＳ３２に移行する。
【００８８】
つまり、端末装置２０のＣＰＵ２１は、このステップＳ３２に対応して、図９のステップＳ１２，Ｓ１３で、カレンダー情報の受信及び表示を行う。ステップＳ３２では、例えば、図１７（ｂ）の表示画面３００Ｆに含まれるカレンダー情報が生成され、表示画面３００Ｆには、カレンダー表示領域３４０のうちの上側の表示領域に、属性を売上、表示時期を現在とするカレンダー情報が表示され、下側の表示領域に、属性を売上、表示時期を前年度とするカレンダー情報が表示される。このため、ログイン当月と前年度の同月における売上が比較表示されることにより、今後の営業方針等を立てやすくさせることができる。
また、このとき、カレンダー表示領域３４０の上方には、分割中ボタン３９０が表示される。
【００８９】
ここで、カレンダー表示領域３４０の上側の表示領域と下側の表示領域に表示されるカレンダー情報の表示態様について詳しく説明する。図１７（ｂ）に示すように、表示時期が現在である場合、ログイン当月のカレンダー情報が表示されることとなるが、ログインした日（２０１５年１月１４日）を含む週の列とその前後の週の列のスケジュール枠（日付枠）に限定してカレンダー情報が表示される。
【００９０】
また、例えば、表示時期が前年度である場合、ログインした年の前年であり、且つ、ログイン当月と同月のカレンダー情報が表示される。また、表示時期が来年度である場合、ログインした年の次年であり、且つ、ログイン当月と同月のカレンダー情報が表示される。
また、表示時期が前月である場合、ログイン当月の前月のカレンダー情報が表示される。また、表示時期が来月である場合、ログイン当月の次月のカレンダー情報が表示される。
また、表示時期が先週である場合、ログインした日を含む週の列とこの週の先々週と先週の列のスケジュール枠が表示される。また、表示時期が来週である場合、ログインした日を含む週の列とこの週の翌々週と来週の列のスケジュール枠が表示される。
なお、表示時期として、先週と来週以外の項目が選択された場合、このときに限定して表示されるスケジュール枠は、ログインした日を含む週の列とその前後の週の列のスケジュール枠とする。
【００９１】
また、端末装置２０のＣＰＵ２１は、ステップＳ３１又はステップＳ３２に対応して、図９のステップＳ１４，Ｓ１５で、操作部２２を介する分割中ボタン３９０の入力を受け付け、サーバ１０へ入力情報の送信を行う。
【００９２】
そして、ＣＰＵ１１は、図９のステップＳ１５に対応して、通信部１６を介して、分割中ボタン３９０のタッチ入力情報を通信先の端末装置２０から受信したか否かに応じて、分割中ボタン３９０が入力されたか否かを判定する（ステップＳ３３）。
【００９３】
ステップＳ３３において、分割中ボタン３９０が入力されていないと判定された場合（ステップＳ３３；ＮＯ）、ＣＰＵ１１は、分割中ボタン３９０が入力されたと判定されるまでの間、ステップＳ３３の判定処理を行う。
そして、ステップＳ３３において、分割中ボタン３９０が入力されたと判定された場合（ステップＳ３３；ＹＥＳ）、ステップＳ２２に移行する。つまり、分割中ボタン３９０のタッチ入力によって、カレンダー表示領域３４０において分割された各々の表示領域にてカレンダー情報を表示する状態が解除されることとなる。
【００９４】
次いで、図１１を参照して、サーバ１０で実行される属性及び時期選択処理を説明する。
先ず、ＣＰＵ１１は、図９のステップＳ１５に対応して、通信部１６を介して、第１の属性選択フォーム３７１，３８１のタッチ入力情報を通信先の端末装置２０から受信したか否かに応じて、第１の属性選択フォーム３７１，３８１が選択操作されたか否かを判定する（ステップＳ２７１）。
【００９５】
ステップＳ２７１において、第１の属性選択フォーム３７１，３８１が選択操作されたと判定された場合（ステップＳ２７１；ＹＥＳ）、ＣＰＵ１１は、選択された属性を第１の属性選択フォーム３７１，３８１に表示させる（ステップＳ２７２）。
一方、ステップＳ２７１において、第１の属性選択フォーム３７１，３８１が選択操作されていないと判定された場合（ステップＳ２７１；ＮＯ）、ステップＳ２７２をスキップして、ステップＳ２７３に移行する。
【００９６】
そして、ＣＰＵ１１は、図９のステップＳ１５に対応して、通信部１６を介して、第１の時期選択フォーム３７３，３８３のタッチ入力情報を通信先の端末装置２０から受信したか否かに応じて、第１の時期選択フォーム３７３，３８３が選択操作されたか否かを判定する（ステップＳ２７３）。
【００９７】
ステップＳ２７３において、第１の時期選択フォーム３７３，３８３が選択操作されたと判定された場合（ステップＳ２７３；ＹＥＳ）、ＣＰＵ１１は、選択された時期を第１の時期選択フォーム３７３，３８３に表示させる（ステップＳ２７４）。
一方、ステップＳ２７３において、第１の時期選択フォーム３７３，３８３が選択操作されていないと判定された場合（ステップＳ２７３；ＮＯ）、ステップＳ２７４をスキップして、ステップＳ２７５に移行する。
【００９８】
そして、ＣＰＵ１１は、図９のステップＳ１５に対応して、通信部１６を介して、第２の属性選択フォーム３７２，３８２のタッチ入力情報を通信先の端末装置２０から受信したか否かに応じて、第２の属性選択フォーム３７２，３８２が選択操作されたか否かを判定する（ステップＳ２７５）。
【００９９】
ステップＳ２７５において、第２の属性選択フォーム３７２，３８２が選択操作されたと判定された場合（ステップＳ２７５；ＹＥＳ）、ＣＰＵ１１は、選択された属性を第２の属性選択フォーム３７２，３８２に表示させる（ステップＳ２７６）。
一方、ステップＳ２７５において、第２の属性選択フォーム３７２，３８２が選択操作されていないと判定された場合（ステップＳ２７５；ＮＯ）、ステップＳ２７６をスキップして、ステップＳ２７７に移行する。
【０１００】
そして、ＣＰＵ１１は、図９のステップＳ１５に対応して、通信部１６を介して、第２の時期選択フォーム３７４，３８４のタッチ入力情報を通信先の端末装置２０から受信したか否かに応じて、第２の時期選択フォーム３７４，３８４が選択操作されたか否かを判定する（ステップＳ２７７）。
【０１０１】
ステップＳ２７７において、第２の時期選択フォーム３７４，３８４が選択操作されたと判定された場合（ステップＳ２７７；ＹＥＳ）、ＣＰＵ１１は、選択された時期を第２の時期選択フォーム３７４，３８４に表示させ（ステップＳ２７８）、属性及び時期選択処理を終了する。
一方、ステップＳ２７７において、第２の時期選択フォーム３７４，３８４が選択操作されていないと判定された場合（ステップＳ２７７；ＮＯ）、ステップＳ２７８をスキップして、属性及び時期選択処理を終了する。
【０１０２】
次いで、図１２、図１８、図１９を参照して、端末装置２０で実行される比較表示制御処理を説明する。
端末装置２０において、操作部２２を介して、比較表示制御処理の実行指示が入力されたことをトリガとして、ＣＰＵ２１が、記憶部２５から読み出して適宜ＲＡＭ２３に展開した比較表示制御プログラム２５２との協働で、比較表示制御処理を実行する。具体的には、例えば、ＯＫボタン３７５，３８５のタッチ入力がなされたことをトリガとして、ＣＰＵ２１が、比較表示制御処理を実行する。
【０１０３】
先ず、ＣＰＵ２１は、カレンダー表示領域３４０の一方の表示領域で、操作部２２を介して、スクロール操作がなされたか否かを判定する（ステップＳ４１）。具体的には、カレンダー表示領域３４０が縦割りで分割（縦分割）されている場合、ＣＰＵ２１は、カレンダー表示領域３４０の左側の表示領域で、操作部２２を介して、左右の方向にスクロール操作がなされたか否かを判定する。一方、カレンダー表示領域３４０が横割りで分割（横分割）されている場合、ＣＰＵ２１は、カレンダー表示領域３４０の上側の表示領域で、操作部２２を介して、上下の方向にスクロール操作がなされたか否かを判定する。
【０１０４】
ステップＳ４１において、スクロール操作がなされたと判定された場合（ステップＳ４１；ＹＥＳ）、ＣＰＵ２１は、カレンダー表示領域３４０に表示されている各カレンダー情報に対して、同様のスクロール表示を行わせて（ステップＳ４２）、ステップＳ４３に移行する。具体的には、例えば、図１８（ａ）に示す表示画面３００Ｇのように、カレンダー表示領域３４０が縦割りで分割されている場合において、左側の表示領域に表示されているカレンダー情報の２０１５年１月１４日の日付枠（スケジュール枠）の表示位置を起点として、左方向に日付枠一枠分の移動量のスクロール操作がなされた場合、ＣＰＵ２１は、この左側の表示領域に表示されているカレンダー情報を左方向に動かしながら当該カレンダー情報を表示させる。また、ＣＰＵ２１は、このとき右側の表示領域に表示されているカレンダー情報についても、左側の表示領域のカレンダー情報に連動させながら右側の表示領域のカレンダー情報を表示させる。そして、上記のスクロール操作が終了すると、図１８（ｂ）に示す表示画面３００Ｈのように、左側及び右側の表示領域に表示されている各々のカレンダー情報が左方向に日付枠一枠分だけスライドし、当初表示されていた火、水、木の３列の日付枠のカレンダー情報が、水、木、金の３列の日付枠のカレンダー情報に変更されて表示される。
【０１０５】
また、ステップＳ４１において、スクロール操作がなされていないと判定された場合（ステップＳ４１；ＮＯ）、ステップＳ４２をスキップして、ステップＳ４３に移行する。
ステップＳ４３において、ＣＰＵ２１は、カレンダー表示領域３４０の一方の表示領域の一の日付枠内で、操作部２２を介して、長押し操作がなされたか否かを判定する（ステップＳ４３）。
【０１０６】
ステップＳ４３において、長押し操作がなされたと判定された場合（ステップＳ４３；ＹＥＳ）、ＣＰＵ２１は、長押し操作がなされた日付枠に表されている情報の詳細を示す詳細画面を表示させるとともに、当該日付枠に対応する他方の表示領域の日付枠に表されている情報の詳細を示す詳細画面も表示させて（ステップＳ４４）、ステップＳ４５に移行する。具体的には、例えば、図１９（ａ）に示す表示画面３００Ｉのように、カレンダー表示領域３４０が縦割りで分割されている場合において、左側の表示領域に表示されているカレンダー情報の２０１５年１月７日の日付枠（スケジュール枠）に対して長押し操作がなされた場合、図１９（ｂ）に示す表示画面３００Ｊのように、ＣＰＵ２１は、長押し操作がなされた日付枠に表されているシフトの詳細を示す詳細画面４１０を表示させる。また、ＣＰＵ２１は、このとき右側の表示領域の対応する日付枠、すなわち長押し操作がなされた日付枠と同様に水曜日の列であり、かつ第２週目の日付枠に表されている予約の詳細を示す詳細画面４２０も表示させる。なお、これらの詳細画面４１０，４２０が表示された際、ユーザによる当該画面のタッチ入力によって、当該画面に表示されているテキスト情報等を編集することができるようにしてもよい。
【０１０７】
また、ステップＳ４３において、長押し操作がなされていないと判定された場合（ステップＳ４３；ＮＯ）、ステップＳ４４をスキップして、ステップＳ４５に移行する。
ステップＳ４５において、ＣＰＵ２１は、カレンダー表示領域３４０の他方の表示領域で、操作部２２を介して、スクロール操作がなされたか否かを判定する（ステップＳ４５）。具体的には、カレンダー表示領域３４０が縦割りで分割（縦分割）されている場合、ＣＰＵ２１は、カレンダー表示領域３４０の右側の表示領域で、操作部２２を介して、左右の方向にスクロール操作がなされたか否かを判定する。一方、カレンダー表示領域３４０が横割りで分割（横分割）されている場合、ＣＰＵ２１は、カレンダー表示領域３４０の下側の表示領域で、操作部２２を介して、上下の方向にスクロール操作がなされたか否かを判定する。
【０１０８】
ステップＳ４５において、スクロール操作がなされたと判定された場合（ステップＳ４５；ＹＥＳ）、ＣＰＵ２１は、カレンダー表示領域３４０に表示されている各カレンダー情報に対して、同様のスクロール表示を行わせて（ステップＳ４６）、ステップＳ４７に移行する。
一方、ステップＳ４５において、スクロール操作がなされていないと判定された場合（ステップＳ４５；ＮＯ）、ステップＳ４６をスキップして、ステップＳ４７に移行する。
【０１０９】
ステップＳ４７において、ＣＰＵ２１は、カレンダー表示領域３４０の他方の表示領域の一の日付枠内で、操作部２２を介して、長押し操作がなされたか否かを判定する（ステップＳ４７）。
ステップＳ４７において、長押し操作がなされたと判定された場合（ステップＳ４７；ＹＥＳ）、ＣＰＵ２１は、長押し操作がなされた日付枠に表されている情報の詳細を示す詳細画面を表示させるとともに、当該日付枠に対応する他方の表示領域の日付枠に表されている情報の詳細を示す詳細画面も表示させて（ステップＳ４８）、ステップＳ４９に移行する。
一方、ステップＳ４７において、長押し操作がなされていないと判定された場合（ステップＳ４７；ＮＯ）、ステップＳ４８をスキップして、ステップＳ４９に移行する。
【０１１０】
ステップＳ４９において、ＣＰＵ２１は、分割中ボタン３９０のタッチ操作がなされたか否かを判定する（ステップＳ４９）。
ステップＳ４９において、分割中ボタン３９０のタッチ操作がなされていないと判定された場合（ステップＳ４９；ＮＯ）、ステップＳ４１に移行する。
一方、ステップＳ４９において、分割中ボタン３９０のタッチ操作がなされたと判定された場合（ステップＳ４９；ＹＥＳ）、比較表示制御処理を終了する。
【０１１１】
以上、本実施の形態によれば、サーバ１０は、サーバ１０は、端末装置２０の第１の表示領域と第２の表示領域のそれぞれにスケジュール情報（カレンダー情報）を表示させる。また、第１の表示領域に表示されているスケジュール情報と第２の表示領域に表示されているスケジュール情報とのうち何れか一方に対して所定の操作がなされた場合、端末装置２０は、当該操作された方のスケジュール情報の表示態様を所定の操作に応じた表示態様に変更するとともに他方のスケジュール情報における表示態様についても所定の操作に応じた表示態様に変更する。
【０１１２】
このため、第１の表示領域に表示されているスケジュール情報と第２の表示領域に表示されているスケジュール情報とのうち何れか一方に対して所定の操作がなされた場合、第１の表示領域と第２の表示領域のそれぞれに表示されたスケジュール情報（カレンダー情報）の表示態様を同期させて所定の操作に応じた表示態様に変更することができるので、スケジュール情報と対応づけて管理するデータについて視点の異なる複数のデータを同時に把握しやすくすることができる。
【０１１３】
また、端末装置２０は、第１の表示領域に表示されているスケジュール情報と第２の表示領域に表示されているスケジュール情報とのうち何れか一方のスケジュール情報の一のスケジュール枠（日付枠）に対して長押し操作がなされた場合、当該スケジュール枠に対応する詳細情報を表示させ、他のスケジュール情報についても、長押し操作がなされたスケジュール枠に対応するスケジュール枠に係る詳細情報を表示させる。このため、スケジュール情報と対応づけて管理するデータについて視点の異なる複数のデータを同時に、より把握しやすくすることができる。
【０１１４】
また、端末装置２０は、第１の表示領域に表示されているスケジュール情報と第２の表示領域に表示されているスケジュール情報とのうち何れか一方に対してスクロール操作がなされた場合、当該スクロール操作に応じて、一方の表示領域に表示されているスケジュール情報をスライドさせるとともに、他方のスケジュール情報についても、当該スクロール操作に応じて、当該他方のスケジュール情報をスライドさせる。このため、各スケジュール情報の互いに対応するスケジュール枠同士を連動させてスライドさせることができるので、第１の表示領域に表示されているスケジュール情報と第２の表示領域に表示されているスケジュール情報を比較しやすくすることができる。
【０１１５】
以上の説明では、本発明に係るプログラムのコンピュータ読み取り可能な媒体として記憶部１５のＨＤＤ、ＳＳＤを使用した例を開示したが、この例に限定されない。その他のコンピュータ読み取り可能な媒体として、フラッシュメモリや、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【０１１６】
なお、上記実施の形態における記述は、本発明に係る表示制御装置及びプログラムの一例であり、これに限定されるものではない。
【０１１７】
例えば、上記実施の形態では、カレンダー表示領域３４０を左右又は上下に２分割して、それぞれの表示領域にカレンダー情報を表示させる表示形式としたが、これに限定されるものではない。それぞれのカレンダー情報を比較しやすい表示形式であればよく、カレンダー表示領域３４０を左右又は上下に３分割以上して、それぞれの表示領域にカレンダー情報を表示させる表示形式としてもよい。また、カレンダー表示領域３４０を左右と上下とでそれぞれ２分割以上して、格子状をなす複数（４つ以上）の表示領域にカレンダー情報を表示させる表示形式としてもよい。
【０１１８】
また、上記実施の形態では、カレンダー表示領域３４０において分割された各々の表示領域にカレンダー情報を表示させる場合、その都度、分割形式、並びに、カレンダー情報の属性及び表示時期を選択させる構成としたが、これに限定されるものではない。例えば、直近の選択操作により入力された分割形式、並びに、カレンダー情報の属性及び表示時期の各々のデータを、ユーザのＩＤ（従業員番号）と対応付けてアカウントデータテーブル４０に記録しておく。そして、次回、カレンダー表示領域３４０において分割された各々の表示領域にカレンダー情報を表示させたい場合、サーバ１０は、ユーザによる分割ボタン３２０のタッチ操作に応じて、当該ユーザのＩＤと対応付けられて記録されている分割形式、並びに、カレンダー情報の属性及び表示時期の各々のデータをアカウントデータテーブル４０から読み出し、当該データに基づいて、カレンダー表示領域３４０の所定の表示領域にカレンダー情報を表示させるようにしてもよい。
【０１１９】
また、上記実施の形態では、店舗データ管理システム１を飲食業（レストラン）に適用した例を説明したが、これに限定されるものではなく、店舗データ管理システム１を他業種に適用できる。店舗データ管理システム１のスタンプを用いた入力により、素早い入力による時間と携帯端末での入力による場所との制約を少なくできるため、業種に合ったスタンプを用意することで、様々な業種での活用が実現できる。
【０１２０】
また、上記実施の形態では、カレンダー情報は、１週間を横一列にして複数のスケジュール枠を格子状となるように並べて一覧表示したスケジュールテンプレート（図２０（ａ）参照）の当該複数のスケジュール枠それぞれに所定の日付情報が対応付けられた月間（月別）カレンダー形式のスケジュール表としたが、これに限定されるものではない。例えば、カレンダー情報は、１週間を横一列に、且つ、時間帯を縦一列にして複数のスケジュール枠を格子状となるように並べて一覧表示したスケジュールテンプレート（図２０（ｂ）参照）の当該複数のスケジュール枠それぞれに所定の日付情報及び時間帯情報が対応付けられた週間カレンダー形式のスケジュール表としてもよい。
【０１２１】
また、上記実施の形態では、図１４（ｂ）に示すように、表示画面３００Ｄには、カレンダー表示領域３４０のうちの左側の表示領域に、属性をシフト、表示時期を現在とするカレンダー情報が表示され、右側の表示領域に、属性を予約、表示時期を現在とするカレンダー情報が表示されるようにしたが、各々の表示領域に表示されるカレンダー情報の属性・時期が一見して分かるような表示を行うようにしてもよい。例えば、図２１（ａ）に示すように、分割中ボタンの右方に、左側の表示領域のカレンダー情報の属性がシフトであり、時期が現在である旨の表示を行うとともに、右側の表示領域のカレンダー情報の属性が予約であり、時期が現在である旨の表示を行う。
また、同様に、上記実施の形態では、図１７（ｂ）に示すように、表示画面３００Ｆには、カレンダー表示領域３４０のうちの上側の表示領域に、属性を売上、表示時期を現在とするカレンダー情報が表示され、下側の表示領域に、属性を売上、表示時期を前年度とするカレンダー情報が表示されるようにしたが、この場合、例えば、図２１（ｂ）に示すように、分割中ボタンの右方に、上側の表示領域のカレンダー情報の属性が売上であり、時期が現在である旨の表示を行うとともに、下側の表示領域のカレンダー情報の属性が売上であり、時期が前年度である旨の表示を行うようにしてもよい。
【０１２２】
また、上記実施形態では、比較表示制御処理において、何れかの表示領域でスクロール操作がなされたかを判定するとともに、長押し操作がなされたかを判定するようにしたが、これに限定されるものではない。例えば、何れかの表示領域において、所謂ピンチアウト操作やピンチイン操作がなされたかを判定するようにしてもよい。そして、何れかの表示領域でピンチアウト操作がなされたと判定された場合、端末装置２０のＣＰＵ２１は、両方の表示領域で、それぞれ同じ倍率で拡大表示を行う。また、何れかの表示領域でピンチイン操作がなされたと判定された場合、端末装置２０のＣＰＵ２１は、両方の表示領域で、それぞれ同じ倍率で縮小表示を行う。
【０１２３】
また、上記実施形態では、サーバ１０のＣＰＵ１１が属性及び時期選択処理を実行するようにしたが、これに限定されるものではなく、端末装置２０のＣＰＵ２１が属性及び時期選択処理を実行するようにしてもよい。
【０１２４】
また、上記実施の形態における店舗データ管理システム１の各構成要素の細部構成及び細部動作に関しては、本発明の趣旨を逸脱することのない範囲で適宜変更可能であることは勿論である。
【０１２５】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
第１の表示領域と第２の表示領域のそれぞれにスケジュール情報を表示させるスケジュール表示制御手段と、
前記第１の表示領域に表示されているスケジュール情報と前記第２の表示領域に表示されているスケジュール情報とのうち何れか一方に対して所定の操作がなされた場合、当該操作された方のスケジュール情報の表示態様を前記所定の操作に応じた表示態様に変更するとともに他方のスケジュール情報における表示態様についても前記所定の操作に応じた表示態様に変更する表示態様制御手段と、
を備えることを特徴とする表示制御装置。
＜請求項２＞
前記表示態様制御手段は、第１の表示態様としてスケジュール情報がカレンダー表示されているときに所定の日付枠が操作された場合、または、第１の表示態様としてスケジュール情報が時間帯枠に区分されて表示されているときに所定の時間帯枠が操作された場合、当該日付枠または当該時間帯枠に対応するスケジュールの詳細情報を第２の表示態様として表示させることを特徴とする請求項１に記載の表示制御装置。
＜請求項３＞
前記スケジュール表示制御手段は、スケジュール情報をカレンダー表示する場合、または、スケジュール情報を時間帯枠に区分けして表示する場合、表示されるスケジュール期間の範囲が前記第１の表示領域と前記第２の表示領域との間で互いに等しくなるようにスケジュール情報を表示させることを特徴とする請求項１または２に記載の表示制御装置。
＜請求項４＞
前記スケジュール表示制御手段は、所定の操作に応じて前記表示されるスケジュール期間の範囲を変更する際は、該変更後においても、表示されるスケジュール期間の範囲が前記第１の表示領域と前記第２の表示領域との間で互いに等しくなるようにスケジュール情報を表示させることを特徴とする請求項３に記載の表示制御装置。
＜請求項５＞
第１の表示領域と第２の表示領域のそれぞれにスケジュール情報を表示させるスケジュール表示制御手段と、
前記第１の表示領域に対するタッチ操作または前記第２の表示領域に対するタッチ操作を検出する検出手段と、
前記検出手段により前記第１の表示領域に対する所定のタッチ操作または前記第２の表示領域に対する所定のタッチ操作が検出された場合に、前記第１の表示領域に表示されているスケジュール情報と前記第２の表示領域に表示されているスケジュール情報の両方における表示態様を前記検出手段により検出された所定のタッチ操作に応じた表示態様に変更する表示態様制御手段と、
を備えることを特徴とする表示制御装置。
＜請求項６＞
第１の表示領域と第２の表示領域のそれぞれにスケジュール情報を表示させるスケジュール表示制御手段と、
前記第１の表示領域に対するタッチ操作または前記第２の表示領域に対するタッチ操作を検出する検出手段と、
前記検出手段により前記第１の表示領域に対する所定のタッチ操作または前記第２の表示領域に対する所定のタッチ操作が検出された場合に、前記第１の表示領域に表示されているスケジュール情報と前記第２の表示領域に表示されているスケジュール情報の両方を前記検出手段により検出された所定のタッチ操作に応じてスライドさせるスライド制御手段と、
を備えることを特徴とする表示制御装置。
＜請求項７＞
第１の表示領域と第２の表示領域のそれぞれにスケジュール情報をカレンダー表示させるまたは時間帯枠に区分けして表示させるとともに、表示されるスケジュール期間の範囲が前記第１の表示領域と前記第２の表示領域との間で互いに等しくなるようにスケジュール情報を表示させるスケジュール表示制御手段と、
前記第１の表示領域に対するタッチ操作または前記第２の表示領域に対するタッチ操作を検出する検出手段と、
を備え、
前記スケジュール表示制御手段は、前記検出手段により検出されたタッチ操作が前記スケジュール期間の範囲を変更するための所定の操作であった場合には、該操作が前記第１の表示領域に対するタッチ操作であるか前記第２の表示領域に対するタッチ操作であるかにかかわらず、両方のスケジュール期間の範囲を同様に変更してスケジュール情報を表示させることを特徴とする表示制御装置。
＜請求項８＞
前記スケジュール表示制御手段は、前記検出手段により検出されたタッチ操作が前記スケジュール期間の範囲を変更するための所定の操作であった場合には、スケジュール情報の表示をスクロール、拡大または縮小させることを特徴とする請求項７に記載の表示制御装置。
＜請求項９＞
コンピュータを、
第１の表示領域と第２の表示領域のそれぞれにスケジュール情報を表示させるスケジュール表示制御手段、
前記第１の表示領域に表示されているスケジュール情報と前記第２の表示領域に表示されているスケジュール情報とのうち何れか一方に対して所定の操作がなされた場合、当該操作された方のスケジュール情報の表示態様を前記所定の操作に応じた表示態様に変更するとともに他方のスケジュール情報における表示態様についても前記所定の操作に応じた表示態様に変更する表示態様制御手段、
として機能させることを特徴とするプログラム。
＜請求項１０＞
コンピュータを、
第１の表示領域と第２の表示領域のそれぞれにスケジュール情報をカレンダー表示させるまたは時間帯枠に区分けして表示させるとともに、表示されるスケジュール期間の範囲が前記第１の表示領域と前記第２の表示領域との間で互いに等しくなるようにスケジュール情報を表示させるスケジュール表示制御手段、
前記第１の表示領域に対するタッチ操作または前記第２の表示領域に対するタッチ操作を検出する検出手段、
として機能させ、
前記スケジュール表示制御手段は、前記検出手段により検出されたタッチ操作が前記スケジュール期間の範囲を変更するための所定の操作であった場合には、該操作が前記第１の表示領域に対するタッチ操作であるか前記第２の表示領域に対するタッチ操作であるかにかかわらず、両方のスケジュール期間の範囲を同様に変更してスケジュール情報を表示させることを特徴とするプログラム。
【符号の説明】
【０１２６】
１    店舗データ管理システム
１０  サーバ
１１  ＣＰＵ
１２  操作部
１３  ＲＡＭ
１４  表示部
１５  記憶部
１６  通信部
１７  計時部
１８  バス
２０  端末装置
２１  ＣＰＵ
２２  操作部
２３  ＲＡＭ
２４  表示部
２５  記憶部
２６  無線通信部
２７  音声入出力部
２８  バス
Ｎ    通信ネットワーク
【図１】
0006451698.tif 000002
【図２】
0006451698.tif 000003
【図３】
0006451698.tif 000004
【図４】
0006451698.tif 000005
【図５】
0006451698.tif 000006
【図６】
0006451698.tif 000007
【図７】
0006451698.tif 000008
【図８】
0006451698.tif 000009
【図９】
0006451698.tif 000010
【図１０】
0006451698.tif 000011
【図１１】
0006451698.tif 000012
【図１２】
0006451698.tif 000013
【図１３】
0006451698.tif 000014
【図１４】
0006451698.tif 000015
【図１５】
0006451698.tif 000016
【図１６】
0006451698.tif 000017
【図１７】
0006451698.tif 000018
【図１８】
0006451698.tif 000019
【図１９】
0006451698.tif 000020
【図２０】
0006451698.tif 000021
【図２１】
0006451698.tif 000022